(57)【要約】【課題】振動によるボルトのゆるみを効果的に抑制することにより、構造物の強度低下やボルト、ナットの落下事故を未然に防ぐことのできる簡便かつ安価なボルトのゆるみ止め方法を提供すること。【解決手段】ねじ締めしたボルトのナットより突出した先端箇所に熱収縮性のプラスチックチューブを被せ、該プラスチックチューブを加熱収縮させて該先端箇所に固着することにより、ボルトとナットの軸方向への相対的移動を制限したボルトのゆるみ止め方法。【選択図】  図１
2004332836.tif 000002
【特許請求の範囲】
【請求項１】
ねじ締めしたボルトのナットより突出した先端箇所に熱収縮性のプラスチックチューブを被せ、該プラスチックチューブを加熱収縮させて該先端箇所に固着することにより、ボルトとナットの軸方向への相対的移動を制限したシールドセグメント締結ボルトのゆるみ止め方法。
【請求項２】
前記プラスチックチューブの内面にホットメルト接着剤層又はゴム層を形成した請求項１に記載のシールドセグメント締結ボルトのゆるみ止め方法。
【請求項３】
前記ボルトのナットより突出した先端箇所のねじ山を軸方向に一部切り欠いた形状にした請求項１に記載のシールドセグメント締結ボルトのゆるみ止め方法。
【発明の詳細な説明】
【０００１】
【発明の属する技術分野】
本発明は、シールド工法による道路トンネルや鉄道トンネルにおいてセグメント同士を締結するボルトのゆるみ止め方法に関するものである。
【０００２】
【従来の技術】
地下高速道路や地下鉄道など、シールド工法によるトンネルは、セグメント構造物間の締結に数多くのボルトが使用されているが、振動によってボルトがゆるむと、構造物の強度低下やボルト、ナットの落下による事故が懸念される。このようなボルトのゆるみ止め方法として、従来は金具などでナットを固定する方法が採られていたが、このような方法は金具の取り付けに時間がかかり、比較的高価であった。また、他の一般的なボルトのゆるみ止め方法として、ボルトのねじ山に接着剤を塗布する方法があり、この接着剤の代わりに熱収縮性材を用いる方法なども提案されている（例えば、特許文献１参照。）。
【０００３】
【特許文献１】
特公平７−９２４５号公報（第１−４頁、第１−１０図）
【０００４】
しかしながら、シールドセグメントの締結作業はセグメントに設けられたボルトボックス内で行われ、使用されたボルトとナットはこの狭いボルトボックス内にあるので、金具でナットを固定する方法やねじ締めする前にボルトのねじ山に固着材を設ける特許文献１に示される方法は作業性が悪く、そのため、シールドセグメントの締結において作業性の良い締結ボルトのゆるみ止め方法の開発が望まれていた。
【０００５】
【発明が解決しようとする課題】
本発明は、シールドセグメントのボルトによる締結において、ねじ締め後にゆるみ止め具を取り付けることによりボルトのゆるみを防止することができ、既設のトンネルにも適用でき、振動によるボルトのゆるみを効果的に抑制することにより、構造物の強度低下やボルト、ナットの落下事故を未然に防ぐことのできる簡便かつ安価なボルトのゆるみ止め方法を提供することを目的になされたものである。
【０００６】
【課題を解決するための手段】
本発明者らは、上記課題を達成するため鋭意研究を重ねた結果、ねじ締め後にボルトのゆるみ止め具として熱収縮性のプラスチックチューブを用いることにより、ボルトのゆるみを効果的に防止することを見出し、本発明を完成するに到った。
【０００７】
すなわち、本発明の要旨は、ねじ締めしたボルトのナットより突出した先端箇所に熱収縮性のプラスチックチューブを被せ、該プラスチックチューブを加熱収縮させて該先端箇所に固着することにより、ボルトとナットの軸方向への相対的移動を制限したシールドセグメント締結ボルトのゆるみ止め方法に存する。
【０００８】
本発明の方法に用いられるプラスチックチューブは、延伸加工が可能なポリエチレン、ポリ塩化ビニル、ポリエステル、アクリル樹脂などの熱可塑性樹脂からなるものであり、加工方法は、一軸延伸シートを筒状に加工してもよいが、通常は、筒状に押出成形したチューブを樹脂のガラス転移温度より高く溶融温度より低い温度で膨張延伸する方法が好ましい。プラスチックチューブは単層のものでもよいが、ボルトのゆるみ止め効果を一層高めるために、内面にホットメルト接着剤層や発泡又は無発泡のゴム層を設けることもできる。
【０００９】
上記プラスチックチューブは内径が通常ボルト径より若干大きいものが用いられ、ねじ締めしたボルトがナットより突出した先端箇所に被せ、チューブの一端がナットに接した状態で熱風などにより加熱収縮させてチューブをボルトのねじ山に固着する。チューブの内面にホットメルト接着剤層を設けた場合、チューブを加熱収縮させる際に溶融した接着剤によりチューブがボルトにより強固に固着する。また、チューブはボルトの先端箇所のみならずナットにも被せた状態で収縮させてもよい。
【００１０】
プラスチックチューブをボルトにより強固に固着するために、ボルトのナットより突出した先端箇所のねじ山を軸方向に一部切り欠いた形状にすることもできる。
【００１１】
【発明の実施の形態】
以下に図面を参照して本発明のボルトのゆるみ止め方法の実施の形態を説明する。図１は、本発明のボルトのゆるみ止め方法の実施の形態を示す模式断面図である。
【００１２】
本発明の方法によってゆるみ止めが施されるボルト締め部は、図１に示すように、接続されるセグメント継手部１，１の孔にボルト２が挿通され、ナット３でねじ締めされている。ボルト２のナット３より突出した先端箇所２ａに熱収縮性のプラスチックチューブ４を被せ、熱風などの加熱手段（図示せず）を用いてチューブ４を径方向に収縮させ、ボルト２の先端箇所２ａに固着する。
このようにして収縮させたプラスチックチューブ４はボルト２の先端箇所２ａのねじ山に沿って密着しているので、ボルト２とナット３の間にゆるみが生じる力が働いても、両者のねじ山の隙間にチューブ４が食い込んでゆるみを阻止する。
なお、ボルト２のナット３より突出した先端箇所２ａのねじ山を軸方向に一部切り欠いた形状にすれば、ねじ山の切り欠いた箇所でねじ山に密着したプラスチックチューブ４の回転が阻止されるので、ボルトのゆるみ防止効果が向上する。
【００１３】
本発明の方法の第２の実施態様としては、プラスチックチューブ４の内面にホットメルト接着剤層（図示せず）を形成する。このホットメルト接着剤層はプラスチックチューブ４を加熱収縮させる際に溶融し、プラスチックチューブ４がボルト２の先端箇所２ａのねじ山に強固に接着するので、ボルトのゆるみ防止に効果がある。
【００１４】
本発明の方法の第３の実施態様としては、プラスチックチューブ４の内面に発泡又は無発泡のゴム層（図示せず）を形成する。このゴム層によりプラスチックチューブ４のねじ山への密着はより強固になり、プラスチックチューブ４の回転を抑える効果がある。
【００１５】
【発明の効果】
本発明は、ナットでネジ締めしたボルトの先端部に熱収縮性のプラスチックチューブをその収縮応力により固着するという簡便かつ安価な方法によって、ボルトのゆるみを効果的に抑えることができるので、道路トンネルや鉄道トンネルにおいて、ボルトのゆるみによって生じる構造物の強度低下やボルト、ナットの落下事故を未然に防止できるという優れた効果を奏するものである。
【図面の簡単な説明】
【図１】本発明のボルトのゆるみ止め方法の実施の形態を示す模式断面図である。
【符号の説明】
１，１・・・・セグメント継手部
２・・・・ボルト
２ａ・・・・ボルトの先端箇所
３・・・・ナット
４・・・・プラスチックチューブ
【図１】
2004332836.tif 000003